(57)【要約】【課題】複数台のカメラを用いて撮影を行なう際に、これら複数台のカメラの撮影動作を制御するための制御装置やケーブルの不要なカメラを提供する。【解決手段】本発明に係るカメラ１は、他のカメラとの間で無線通信が可能であって、ユーザによる撮影操作が行なわれたとき、或いは他のカメラから撮影指令信号を受信したときに、撮影動作を実行すると共に、撮影指令信号を他のカメラに送信する。【選択図】　　　図１
2004012974.tif 000002
【特許請求の範囲】
【請求項１】
他のカメラとの間で無線通信が可能であって、ユーザによる撮影操作が行なわれたとき、或いは他のカメラから撮影指令信号を受信したときに、撮影動作を実行すると共に、撮影指令信号を他のカメラに送信することを特徴とするカメラ。
【請求項２】
他のカメラから撮影指令信号を受信して撮影動作を実行すると共に、他のカメラに対して撮影指令信号を送信することが可能なカメラであって、
撮影指令信号を送信すべき１或いは複数台の他のカメラの識別情報と、撮影指令信号を送信すべき時点を表わす送信時点情報とを入力するための情報入力手段と、
ユーザにより入力された識別情報及び送信時点情報が登録される情報登録手段と、
信号送信指令を受けたとき、情報登録手段に登録されている送信時点情報が表わす時点で、情報登録手段に登録されている識別情報を含む撮影指令信号を作成し、作成した撮影指令信号を無線で送信する送信手段と、
他のカメラから無線で送信されてくる撮影指令信号を受信する受信手段と、
撮影指令信号が受信されたとき、該撮影指令信号に自機の識別情報が含まれているか否かを判断する判断手段と、
ユーザによって撮影操作が行なわれたとき、或いは撮影指令信号に自機の識別情報が含まれていると判断されたときに、撮影動作を実行させると共に、前記送信手段に対して撮影指令信号の送信を指令する制御手段
とを具えているカメラ。
【請求項３】
他のカメラから撮影指令信号を受信して撮影動作を実行すると共に、他のカメラに対して撮影指令信号を送信することが可能なカメラであって、
撮影指令信号を送信すべき１或いは複数台の他のカメラの識別情報と、撮影指令信号を受信したときに撮影動作を実行すべき時点を表わす撮影時点情報とを入力するための情報入力手段と、
ユーザにより入力された識別情報及び／又は撮影時点情報が登録される情報登録手段と、
信号送信指令を受けたとき、情報登録手段に登録されている識別情報を含む撮影指令信号を作成し、作成した撮影指令信号を無線で送信する送信手段と、
他のカメラから無線で送信されてくる撮影指令信号を受信する受信手段と、
撮影指令信号が受信されたとき、該撮影指令信号に自機の識別情報が含まれているか否かを判断する判断手段と、
ユーザによって撮影操作が行なわれたとき、撮影動作を実行させると共に、前記送信手段に対して撮影指令信号の送信を指令する一方、撮影指令信号に自機の識別情報が含まれていると判断されたときには、情報登録手段に登録されている撮影時点情報が表わす時点で撮影動作を実行させると共に、前記送信手段に対して撮影指令信号の送信を指令する制御手段
とを具えているカメラ。
【請求項４】
他のカメラから撮影指令信号を受信して撮影動作を実行すると共に、他のカメラに対して撮影指令信号を送信することが可能なカメラであって、
撮影指令信号を送信すべき１或いは複数台の他のカメラの識別情報と、他のカメラによって撮影指令信号が受信されたときに該カメラに撮影動作を実行させるべき時点を表わす撮影時点情報とを入力するための情報入力手段と、
ユーザにより入力された識別情報及び撮影時点情報が登録される情報登録手段と、
信号送信指令を受けたとき、情報登録手段に登録されている識別情報及び撮影時点情報を含む撮影指令信号を作成し、作成した撮影指令信号を無線で送信する送信手段と、
他のカメラから無線で送信されてくる撮影指令信号を受信する受信手段と、
撮影指令信号が受信されたとき、該撮影指令信号に自機の識別情報が含まれているか否かを判断する判断手段と、
ユーザによって撮影操作が行なわれたとき、撮影動作を実行させると共に、前記送信手段に対して撮影指令信号の送信を指令する一方、撮影指令信号に自機の識別情報が含まれていると判断されたときには、撮影指令信号に含まれている撮影時点情報が表わす時点で撮影動作を実行させると共に、前記送信手段に対して撮影指令信号の送信を指令する制御手段
とを具えているカメラ。
【請求項５】
情報入力手段によって、撮影指令信号を送信すべき時点を表わす送信時点情報を入力することが可能であって、前記情報登録手段には、ユーザにより入力された送信時点情報が登録され、前記制御手段は、情報登録手段に登録されている送信時点情報が表わす時点で撮影指令信号の送信を指令する請求項３又は請求項４に記載のカメラ。
【発明の詳細な説明】
【０００１】
【発明の属する技術分野】
本発明は、銀塩方式のカメラやデジタルカメラ等のカメラに関し、特に、他のカメラから撮影指令信号を受信して撮影動作を実行すると共に他のカメラに対して撮影指令信号を送信することが可能なカメラに関するものである。
【０００２】
【従来の技術】
近年、ＣＣＤ（固体撮像素子）によって撮影した画像をデジタルデータとしてメモリカードや内蔵メモリ等の記録媒体に記録するデジタルカメラが普及している。
この種のデジタルカメラにおいては、ユーザがシャッター釦を押下すると、ＣＣＤから得られる撮影データは、デジタルデータに変換された後、周知の圧縮方式により圧縮され、これによって得られる圧縮画像データが記録媒体に記録される。
【０００３】
ところで、複数台のデジタルカメラを用いて被写体を多方向から撮影する際には、図１９に示す如き撮影システムが構築される。
該撮影システムにおいては、被写体の周囲に複数台のデジタルカメラ（２０）が配置され、これら複数台のデジタルカメラ（２０）とホストコンピュータ（３０）とがＵＳＢケーブル（３１）によって接続される。この状態で、ホストコンピュータ（３０）に複数台のデジタルカメラ（２０）に対し同時に撮影指令信号を送信させて、各デジタルカメラ（２０）に上述の撮影動作を実行させる。この様にして、複数台のデジタルカメラ（２０）に同時に撮影動作を実行させることによって、被写体を多方向から同時に撮影することが出来る。
【０００４】
又、自動車や列車等の移動体の撮影が行なわれることがあるが、かかる撮影方法として３つの方法が知られている。第１の方法においては、ユーザが１台のデジタルカメラを所持して移動体の移動速度と同じ速度で移動しつつ、該デジタルカメラに撮影動作を実行させる。又、第２の方法においては、１台のデジタルカメラを移動装置によって移動体の移動速度と同じ速度で移動させつつ、該デジタルカメラに撮影動作を実行させる。第３の方法においては、移動体から移動方向に遠く離れた位置に１台のデジタルカメラを配置し、移動体が近づくにつれてズーム率を変化させつつ、該デジタルカメラに撮影動作を実行させる。
しかし、ユーザがデジタルカメラを所持して移動する第１の方法においては、撮影に多大な労力を必要とする問題がある。又、デジタルカメラを移動装置によって移動させる第２の方法においては、移動装置が必要であるため、多大なコストを必要とする問題がある。更に、ズーム率を変化させる第３の方法においては、移動体を遠距離から撮影するため、撮影によって得られる画像の品質が低い問題がある。
そこで、複数台のデジタルカメラを移動体の移動経路に配置し、これら複数台のデジタルカメラにホストコンピュータを接続して、撮影システムを構築し、この状態で、ホストコンピュータに複数台のデジタルカメラに対して順次、撮影指令信号を送信させて、各デジタルカメラに撮影動作を実行させる。この様にして、複数台のデジタルカメラに順次、撮影動作を実行させることによって、移動体を撮影することが出来る。
【０００５】
又、花火や流星などの撮影が行なわれることがあるが、花火や流星は瞬間的に出現するため、１台のデジタルカメラによって撮影を行なった場合にはシャッターチャンスを逃す虞がある。
そこで、上述の如く移動体を撮影する際と同様に、複数台のデジタルカメラ及びホストコンピュータを用いて撮影システムを構築し、この状態で複数台のデジタルカメラに順次、撮影動作を実行させることによって撮影が行なわれる。
【０００６】
又、上記デジタルカメラは連続撮影機能を有しているが、１回の連続撮影においては、フレームレート（１秒間当たりの撮影枚数）を高めるために、シャッター釦が押下されている状態では、ＣＣＤから１枚分の撮影データが得られる度に該撮影データを内蔵メモリに格納する撮影動作を実行し、その後、シャッター釦の押下が終了した時点で、内蔵メモリに格納されている複数枚分の撮影データを圧縮して記録媒体に記録する記録動作を実行する方式が採用されている。
しかし、内蔵メモリに格納可能な撮影データの容量は内蔵メモリの容量によって制限されるため、１回の連続撮影によって撮影可能な枚数が制限されている。そこで、１回の連続撮影によって撮影可能な枚数を超える画像を撮影する際には、複数回の連続撮影が行なわれる。
複数回の連続撮影が行なわれると、図２０に示す如く、撮影データを内蔵メモリに格納する撮影動作と、内蔵メモリに格納されている撮影データを圧縮して記録媒体に記録する記録動作とが繰り返されることになり、撮影動作が実行されない期間が発生するため、一連の連続画像が得られない問題があった。
そこで、２台のデジタルカメラ及びホストコンピュータを用いて撮影システムを構築し、一方のデジタルカメラの記録動作中に他方のデジタルカメラに撮影動作を実行させることによって撮影が行なわれる。
【０００７】
【発明が解決しようとする課題】
しかしながら、従来のデジタルカメラにおいては、上述の如く複数台のカメラを用いて撮影を行なう際、これら複数台のカメラの撮影動作を制御するホストコンピュータ等の制御装置やケーブルが必要である問題があった。
そこで、本発明の目的は、複数台のカメラを用いて撮影を行なう際に、これら複数台のカメラの撮影動作を制御するための制御装置やケーブルの不要なカメラを提供することである。
【０００８】
【課題を解決する為の手段】
本発明に係る第１のカメラは、
撮影指令信号を送信すべき１或いは複数台の他のカメラの識別情報と、撮影指令信号を送信すべき時点を表わす送信時点情報とを入力するための情報入力手段と、
ユーザにより入力された識別情報及び送信時点情報が登録される情報登録手段と、
信号送信指令を受けたとき、情報登録手段に登録されている送信時点情報が表わす時点で、情報登録手段に登録されている識別情報を含む撮影指令信号を作成し、作成した撮影指令信号を無線で送信する送信手段と、
他のカメラから無線で送信されてくる撮影指令信号を受信する受信手段と、
撮影指令信号が受信されたとき、該撮影指令信号に自機の識別情報が含まれているか否かを判断する判断手段と、
ユーザによって撮影操作が行なわれたとき、或いは撮影指令信号に自機の識別情報が含まれていると判断されたときに、撮影動作を実行させると共に、前記送信手段に対して撮影指令信号の送信を指令する制御手段
とを具えている。
【０００９】
例えば、本発明に係る第１のカメラを２台用いて撮影を行なう場合、ユーザは、一方のカメラに、他方のカメラの識別情報と、他方のカメラに撮影指令信号を送信すべき時点を表わす送信時点情報とを登録する。
その後、２台のカメラを所望の撮影位置に配置して、前記一方のカメラに対し撮影操作を行なうと、該カメラの撮影動作が実行されると共に、登録されている送信時点情報が表わす時点で、該カメラから、登録されている識別情報、即ち他方のカメラの識別情報を含む撮影指令信号が無線で送信される。
他方のカメラにおいては、上述の如く送信された撮影指令信号が受信され、該信号に自機の識別情報が含まれていると判断されて、撮影動作が実行される。この様にして、所望の他のカメラに所望の時点で撮影動作を実行させることが出来る。
本発明に係る第１のカメラを複数台用いた撮影時においては、上述の如く複数台のカメラ間で撮影指令信号の送受信を実行させることによって、これら複数台のカメラに所望の時点で撮影動作を実行させることが出来るので、これらのカメラの撮影動作を制御するための制御装置は不要である。
又、制御装置が不要であるので、制御装置と複数台のカメラとを接続するケーブルは不要であると共に、複数台のカメラ間では無線通信によって撮影指令信号の送受信が行なわれるので、これらのカメラを互いに接続するケーブルは不要である。
【００１０】
本発明に係る第２のカメラは、
撮影指令信号を送信すべき１或いは複数台の他のカメラの識別情報と、撮影指令信号を受信したときに撮影動作を実行すべき時点を表わす撮影時点情報とを入力するための情報入力手段と、
ユーザにより入力された識別情報及び／又は撮影時点情報が登録される情報登録手段と、
信号送信指令を受けたとき、情報登録手段に登録されている識別情報を含む撮影指令信号を作成し、作成した撮影指令信号を無線で送信する送信手段と、
他のカメラから無線で送信されてくる撮影指令信号を受信する受信手段と、
撮影指令信号が受信されたとき、該撮影指令信号に自機の識別情報が含まれているか否かを判断する判断手段と、
ユーザによって撮影操作が行なわれたとき、撮影動作を実行させると共に、前記送信手段に対して撮影指令信号の送信を指令する一方、撮影指令信号に自機の識別情報が含まれていると判断されたときには、情報登録手段に登録されている撮影時点情報が表わす時点で撮影動作を実行させると共に、前記送信手段に対して撮影指令信号の送信を指令する制御手段
とを具えている。
【００１１】
例えば、本発明に係る第２のカメラを２台用いて撮影を行なう場合、ユーザは、一方のカメラに、他方のカメラの識別情報を登録する一方、他方のカメラに、撮影指令信号を受信したときに撮影動作を実行すべき時点を表わす撮影時点情報を登録する。
その後、２台のカメラを所望の撮影位置に配置して、前記一方のカメラに対し撮影操作を行なうと、該カメラの撮影動作が実行されると共に、該カメラから、登録されている識別情報、即ち他方のカメラの識別情報を含む撮影指令信号が無線で送信される。
他方のカメラにおいては、上述の如く送信された撮影指令信号が受信され、該信号に自機の識別情報が含まれていると判断されて、登録されている撮影時点情報が表わす時点で撮影動作が実行される。この様にして、所望の他のカメラに所望の時点で撮影動作を実行させることが出来る。
本発明に係る第２のカメラを複数台用いた撮影時においては、上述の如く複数台のカメラ間で撮影指令信号の送受信を実行させることによって、これら複数台のカメラに所望の時点で撮影動作を実行させることが出来るので、これらのカメラの撮影動作を制御するための制御装置は不要である。
又、制御装置が不要であるので、制御装置と複数台のカメラとを接続するケーブルは不要であると共に、複数台のカメラ間では無線通信によって撮影指令信号の送受信が行なわれるので、これらのカメラを互いに接続するケーブルは不要である。
【００１２】
本発明に係る第３のカメラは、
撮影指令信号を送信すべき１或いは複数台の他のカメラの識別情報と、他のカメラによって撮影指令信号が受信されたときに該カメラに撮影動作を実行させるべき時点を表わす撮影時点情報とを入力するための情報入力手段と、
ユーザにより入力された識別情報及び撮影時点情報が登録される情報登録手段と、
信号送信指令を受けたとき、情報登録手段に登録されている識別情報及び撮影時点情報を含む撮影指令信号を作成し、作成した撮影指令信号を無線で送信する送信手段と、
他のカメラから無線で送信されてくる撮影指令信号を受信する受信手段と、
撮影指令信号が受信されたとき、該撮影指令信号に自機の識別情報が含まれているか否かを判断する判断手段と、
ユーザによって撮影操作が行なわれたとき、撮影動作を実行させると共に、前記送信手段に対して撮影指令信号の送信を指令する一方、撮影指令信号に自機の識別情報が含まれていると判断されたときには、撮影指令信号に含まれている撮影時点情報が表わす時点で撮影動作を実行させると共に、前記送信手段に対して撮影指令信号の送信を指令する制御手段
とを具えている。
【００１３】
例えば、本発明に係る第３のカメラを２台用いて撮影を行なう場合、ユーザは、一方のカメラに、他方のカメラの識別情報と、他方のカメラによって撮影指令信号が受信されたときに該カメラに撮影動作を実行させるべき時点を表わす撮影時点情報を登録する。
その後、２台のカメラを所望の撮影位置に配置して、前記一方のカメラに対し撮影操作を行なうと、該カメラの撮影動作が実行されると共に、該カメラから、登録されている識別情報、即ち他方のカメラの識別情報と撮影時点情報とを含む撮影指令信号が無線で送信される。
他方のカメラにおいては、上述の如く送信された撮影指令信号が受信され、該信号に自機の識別情報が含まれていると判断されて、該信号に含まれている撮影時点情報が表わす時点で撮影動作が実行される。この様にして、所望の他のカメラに所望の時点で撮影動作を実行させることが出来る。
本発明に係る第３のカメラを複数台用いた撮影時においては、上述の如く複数台のカメラ間で撮影指令信号の送受信を実行させることによって、これら複数台のカメラに所望の時点で撮影動作を実行させることが出来るので、これらのカメラの撮影動作を制御するための制御装置は不要である。
又、制御装置が不要であるので、制御装置と複数台のカメラとを接続するケーブルは不要であると共に、複数台のカメラ間では無線通信によって撮影指令信号の送受信が行なわれるので、これらのカメラを互いに接続するケーブルは不要である。
【００１４】
具体的には、情報入力手段によって、撮影指令信号を送信すべき時点を表わす送信時点情報を入力することが可能であって、前記情報登録手段には、ユーザにより入力された送信時点情報が登録され、前記制御手段は、情報登録手段に登録されている送信時点情報が表わす時点で撮影指令信号の送信を指令する。
【００１５】
例えば、上記具体的構成を有するカメラを２台用いて撮影を行なう場合には、一方のカメラに他の識別情報を登録する際、撮影指令信号を送信すべき時点を表わす送信時点情報を登録する。その後、この一方のカメラに対して撮影操作が行なわれたとき、登録されている送信時点情報が表わす時点で、送信手段に対し撮影指令信号の送信が指令されて撮影指令信号が他のカメラに送信される。
上記具体的構成によれば、ユーザにより予め登録された送信時点情報が表わす時点で他のカメラに撮影指令信号が送信されるので、他のカメラに、より確実に所望の時点で撮影動作を実行させることが出来る。
【００１６】
【発明の効果】
本発明に係るカメラによれば、複数台のカメラを用いて撮影を行なう際、これら複数台のカメラの撮影動作を制御するための制御装置やケーブルは不要である。
【００１７】
【発明の実施の形態】
以下、本発明をデジタルカメラに実施した形態につき、図面に沿って具体的に説明する。
回路構成
本発明に係るデジタルカメラ（１）は、図１に示す如くＣＣＤ（２）を具えており、ＣＣＤ（２）から得られる撮影データは、信号処理回路（３）にてＡ／Ｄ変換された後、ＣＰＵ（４）に供給される。
ＣＰＵ（４）には、種々の動作を実行するためのプログラムが格納されているＲＯＭ（５）及び種々のデータ処理に利用されるＲＡＭ（６）が接続されると共に、メモリカード等の記録メディア（７０）の装填が可能な記録メディアドライブ装置（７）が接続されている。
上述の如くＣＰＵ（４）に供給された撮影データは、一旦、ＲＡＭ（６）に書き込まれた後、ＣＰＵ（４）により読み出されて信号処理回路（３）に供給され、該回路（３）にて圧縮処理が施された後、記録メディア（７０）に記録される。
又、ＣＰＵ（４）によって記録メディア（７０）から読み出された撮影データは、ビデオエンコーダ（８）へ供給されて伸長処理が施された後、ＬＣＤ（９）に供給される。
上記ＣＰＵ（４）には、マイクロコンピュータからなるシステムコントローラ（１０）を介して、シャッター釦等、種々の操作ボタンを具えた操作パネル装置（１１）が接続されている。
【００１８】
又、本発明に係るデジタルカメラは、他のデジタルカメラとの間で無線通信を行なうことが可能であって、上記ＣＰＵ（４）には、“Ｂｌｕｅｔｏｏｔｈ”（Ｅｒｉｃｓｓｏｎ社の商標）と称される近距離無線通信インターフェースとしての機能を有する無線通信制御回路（１２）を介してアンテナ（１３）が接続されている。
【００１９】
第１実施例
本発明に係るデジタルカメラは、他のデジタルカメラから撮影指令信号を受信して撮影動作を実行すると共に、他のデジタルカメラに対して撮影指令信号を送信することが可能であって、撮影指令信号を送信すべき時点を表わす送信時点情報、及び撮影指令信号を送信すべき他のカメラの識別情報を表わす送信識別情報を設定することが可能である。
図２は、上記送信時点情報及び送信識別情報を設定する際にＬＣＤ（９）に表示される画面を表わしており、該画面には、送信時点情報として、時間計測の起算点となる時点、該起算点から撮影指令信号を送信すべき時点までの経過時間及びその単位を入力する欄（“いつ”なる欄、“経過時間”なる欄及び“単位”なる欄）が設けられると共に、送信識別情報を入力する欄（“どのカメラに”なる欄）が設けられている。
【００２０】
“いつ”なる欄には、該欄の下方に表示されている“撮影開始”、“撮影終了”、“記録終了”及び“なし”なるアイコンの何れかのアイコンを選択する操作を行なうことによって、起算点情報が入力される。又、“経過時間”なる欄には、図示省略する数字列から何れかの数字を選択する操作を行なうことによって、経過時間情報が入力される。更に、“単位”なる欄には、該欄の下方に表示されている“ｍｓ”及び“ｓ”なるアイコンの何れかのアイコンを選択する操作を行なうことによって、単位情報が入力される。例えば、デジタルカメラに撮影開始時点から３０秒後に撮影指令信号を送信させんとする場合には、“撮影開始”、“３０”及び“ｓ”を選択する。又、撮影指令信号の送信動作を実行させない場合には、起算点情報として“なし”を選択する。
又、上記デジタルカメラは、予め１或いは複数台のデジタルカメラの識別情報を登録しておくことが可能であって、“どのカメラに”なる欄の下方には、予め登録されている１或いは複数台のデジタルカメラの識別情報が表示される。かかる欄には、これらの識別情報の内、何れかの識別情報を選択する操作を行なうことによって、選択された識別情報が送信識別情報として入力される。
この様にして入力された送信時点情報及び送信識別情報は、図１に示すＲＡＭ（６）に格納される。
【００２１】
図３は、カメラ本体の電源がオンに設定されている状態で、本実施例のＣＰＵ（４）によって実行されるメインタスク処理手続きを表わしている。ここで、上記ＲＯＭ（５）には、メインタスク処理を実行するメインプログラムと、他のデジタルカメラとの間で無線通信を行なうための送信タスクプログラムとが格納されており、図３に示すメインタスク処理と後述の送信タスク処理は、多重処理によって実行される。
【００２２】
図示の如く、先ずステップＳ１にて、操作パネル装置に対して何らかの操作が行なわれたか否かを判断し、イエスと判断された場合は、ステップＳ２に移行して、操作パネル装置に対する前記操作が電源スイッチ（Ｐｏｗｅｒ−ＳＷ）に対するオフ（ＯＦＦ）操作であるか否かを判断し、イエスと判断された場合は、手続きを終了する。
ステップＳ２にてノーと判断された場合は、操作パネル装置に対する前記操作がシャッター釦に対する操作であるか否かを判断し、イエスと判断された場合はステップＳ４に移行して、図４に示す一連の撮影処理を実行した後、ステップＳ１に戻る。一方、操作パネル装置に対する前記操作がシャッター釦に対する操作以外の操作である場合は、ステップＳ５に移行して、該操作に応じた処理を実行した後、ステップＳ１に戻る。
【００２３】
上記ステップＳ１にてノーと判断された場合は、ステップＳ６に移行して、何らかの信号が受信されたか否かを判断し、ノーと判断された場合はステップＳ１に戻る一方、イエスと判断された場合は、ステップＳ７に移行して、受信された信号を解読した後、ステップＳ８に移行する。
【００２４】
ステップＳ８では、受信された信号に自機の識別情報が含まれているか否かを判断し、ノーと判断された場合はステップＳ１に戻る一方、イエスと判断された場合は、ステップＳ９に移行して、受信された信号が撮影指令信号であるか否かを判断する。
受信された信号が撮影指令信号である場合は、ステップＳ１０に移行して、図４に示す一連の撮影処理を実行した後、ステップＳ１に戻る一方、受信された信号が撮影指令信号以外の信号である場合は、ステップＳ１１に移行して、該信号に応じた処理を実行した後、ステップＳ１に戻る。
【００２５】
一連の撮影処理においては、先ず図４のステップＳ１２にて、ＲＡＭに格納されている送信時点情報に含まれる起算点情報が撮影開始時点を表わしているか否かを判断し、ノーと判断された場合はステップＳ１４に移行して、ＣＣＤから得られる撮影データをＡ／Ｄ変換してＲＡＭに格納する撮影処理を実行する。一方、ステップＳ１２にてイエスと判断された場合は、ステップＳ１３に移行して、撮影指令信号の送信を送信タスクプログラムに要求した後、ステップＳ１４に移行して、上記撮影処理を実行する。ここで、送信タスクプログラムへの要求内容には、ＲＡＭに格納されている送信時点情報に含まれる経過時間情報及び単位情報と、送信識別情報とが含められる。
【００２６】
次にステップＳ１５では、ＲＡＭに格納されている送信時点情報に含まれる起算点情報が撮影終了時点を表わしているか否かを判断し、ノーと判断された場合はステップＳ１７に移行して、ＲＡＭに格納されている撮影データを圧縮して記録メディアに記録する記録処理を実行する。一方、ステップＳ１５にてイエスと判断された場合は、ステップＳ１６に移行して、上記ステップＳ１３と同様に撮影指令信号の送信を送信タスクプログラムに要求した後、ステップＳ１７に移行して、上記記録処理を実行する。
【００２７】
続いてステップＳ１８では、ＲＡＭに格納されている送信時点情報に含まれる起算点情報が記録終了時点を表わしているか否かを判断し、ノーと判断された場合は手続きを終了する一方、イエスと判断された場合は、ステップＳ１９に移行して、上記ステップＳ１３と同様に撮影指令信号の送信を送信タスクプログラムに要求した後、手続きを終了する。
【００２８】
図５は、本実施例のＣＰＵ（４）によって実行される送信タスク処理手続きを表わしている。
図示の如く、先ずステップＳ２１では、上記メインプログラムからの送信要求の受領に待機し、メインプログラムからの送信要求が受領されると、ステップＳ２２に移行して、該送信要求が撮影指令信号を送信すべき旨の要求であるか否かを判断する。
メインプログラムからの送信要求が撮影指令信号を送信すべき旨の送信要求である場合は、ステップＳ２３に移行して、該要求内容に含まれている経過時間情報及び単位情報が表わす時間だけ時間の経過を待った後、ステップＳ２４にて、前記要求内容に含まれている送信識別情報を含む撮影指令信号を無線で送信して、ステップＳ２１に戻る。一方、メインプログラムからの送信要求が画像転送要求である場合等、メインプログラムからの送信要求が撮影指令信号を送信すべき旨の要求でない場合には、ステップＳ２５に移行して、該送信要求に応じた送信処理を実行して、ステップＳ２１に戻る。
【００２９】
上記デジタルカメラにおいては、シャッター釦が押下されたとき、或いは他のデジタルカメラから自機宛の撮影指令信号を受信したときに、その時点で撮影動作が実行される。そして、送信時点情報及び送信識別情報が登録されている場合には、撮影開始時点、撮影終了時点、或いは記録終了時点の内、送信時点情報に含まれる起算点情報が表わす何れかの時点から経過時間情報及び単位情報が表わす時間だけ時間が経過した時点で、送信識別情報を含む撮影指令信号が送信される。
【００３０】
本実施例のデジタルカメラを４台用いて、図１５に矢印で示す如く移動する移動体を撮影する際には、４台のデジタルカメラＡ〜Ｄを移動体の移動経路に配置する。そして、デジタルカメラＡ〜Ｃには夫々、ＬＣＤに図２に示す画面を表示させて、カメラＢ〜Ｄが移動体の移動速度に応じたタイミングで撮影動作を実行する様、送信時点情報を設定すると共に、デジタルカメラＢ、Ｃ、Ｄの識別情報を送信識別情報として設定する。
その後、所望のタイミングでカメラＡのシャッター釦を押下すると、カメラＡは、その時点で撮影動作を実行すると共に、設定されている送信時点情報が表わすタイミングでカメラＢに撮影指令信号を送信する。カメラＢは、該撮影指令信号を受けて、その時点で撮影動作を実行すると共に、設定されている送信時点情報が表わすタイミングでカメラＣに撮影指令信号を送信する。カメラＣは、該撮影指令信号を受けて、その時点で撮影動作を実行すると共に、設定されている送信時点情報が表わすタイミングでカメラＤに撮影指令信号を送信する。カメラＤは、該撮影指令信号を受けて、その時点で撮影動作を実行する。
この様にして、デジタルカメラＡ〜Ｄに移動体の移動速度に応じたタイミングで撮影動作を実行させることによって、移動体を撮影することが出来る。
【００３１】
又、本実施例のデジタルカメラを４台用いて花火を撮影する際には、４台のデジタルカメラＡ〜Ｄを所望の撮影位置に配置する。そして、デジタルカメラＡ〜Ｃには夫々、ＬＣＤに図２に示す画面を表示させて、送信時点情報を設定すると共に、デジタルカメラＢ、Ｃ、Ｄの識別情報を送信識別情報として設定する。ここで、カメラＡ〜Ｃの送信時点情報は、図１６に示す如く、カメラＢ〜ＤがそれぞれカメラＡの撮影開始時点ｔ１から僅かな時間だけ遅れた時点ｔ２、カメラＢの撮影開始時点ｔ２から僅かな時間だけ遅れた時点ｔ３、及びカメラＣの撮影開始時点ｔ３から僅かな時間だけ遅れたｔ４で撮影動作を実行する様、設定される。その後、所望のタイミングでカメラＡのシャッター釦を押下すると、デジタルカメラＡ〜Ｄの撮影動作が順次、実行される。
この様にして、カメラＡ〜Ｄに図１６に示す如きタイミングで撮影動作を実行させることによって、シャッターチャンスを逃すことなく花火を撮影することが出来る。
【００３２】
又、本実施例のデジタルカメラを４台用いて流星を撮影する際には、４台のデジタルカメラＡ〜Ｄを所望の撮影位置に配置する。そして、デジタルカメラＡ〜Ｃには夫々、ＬＣＤに図２に示す画面を表示させて、送信時点情報を設定すると共に、デジタルカメラＢ、Ｃ、Ｄの識別情報を送信識別情報として設定する。ここで、カメラＡ〜Ｃの送信時点情報は、図１７に示す如く、カメラＢ〜ＤがそれぞれカメラＡの撮影処理が終了して記録処理が開始される時点ｔ２、カメラＢの撮影処理が終了して記録処理が開始される時点ｔ３、及びカメラＣの撮影処理が終了して記録処理が開始される時点ｔ４で撮影動作を実行する様、設定される。その後、所望のタイミングでカメラＡのシャッター釦を押下すると、デジタルカメラＡ〜Ｄの撮影動作が順次、実行される。
この様にして、カメラＡ〜Ｄに図１７に示す如きタイミングで撮影動作を実行させることによって、シャッターチャンスを逃すことなく流星を撮影することが出来る。
【００３３】
更に、本実施例のデジタルカメラを２台用いて連続撮影を行なう際には、デジタルカメラＡには、ＬＣＤに図２に示す画面を表示させて、送信時点情報を設定すると共に、デジタルカメラＢの識別情報を送信識別情報として設定する。ここで、カメラＡの送信時点情報は、図１８に示す如くカメラＢがカメラＡの連続撮影処理が終了して記録処理が開始される時点で撮影動作を実行する様、設定される。又、デジタルカメラＢについても、ＬＣＤに図２に示す画面を表示させて、送信時点情報を設定すると共に、デジタルカメラＡの識別情報を送信識別情報として登録する。ここで、カメラＢの送信時点情報は、図１８に示す如くカメラＡがカメラＢの連続撮影処理が終了して記録処理が開始される時点で撮影動作を実行する様、設定される。その後、所望のタイミングでカメラＡのシャッター釦を押下すると、デジタルカメラＡ、Ｂの撮影動作が繰り返し実行される。
この様にして、カメラＡの記録動作中にカメラＢに撮影動作を実行させることによって、１回の連続撮影によって撮影可能な枚数を超える一連の連続画像を得ることが出来る。
【００３４】
本実施例のデジタルカメラによれば、複数台のカメラを用いた撮影時において、これら複数台のカメラに所望の時点で撮影動作を実行させることが出来るので、これら複数台のカメラの撮影動作を制御するための制御装置は不要である。
又、制御装置が不要であるので、制御装置と複数台のデジタルカメラとを接続するケーブルは不要であると共に、複数台のデジタルカメラ間では無線通信によって撮影指令信号の送受信が行なわれるので、これらのカメラを互いに接続するケーブルは不要である。
【００３５】
第２実施例
第１実施例のデジタルカメラは、他のデジタルカメラから自機宛の撮影指令信号を受信したときに、その時点で撮影動作を実行するものであるのに対し、本実施例のデジタルカメラは、撮影指令信号を受信した後、予め登録されている時間だけ時間が経過した時点で撮影動作を実行するものである。
【００３６】
本実施例のデジタルカメラは、撮影指令信号を送信すべき時点を表わす送信時点情報及び撮影指令信号を送信すべき他のカメラの識別情報を表わす送信識別情報を設定することが可能であると共に、撮影指令信号を受信した後に撮影動作を実行すべき時点を表わす撮影時点情報を設定することが可能である。
図６は、上記送信時点情報及び送信識別情報を設定する際にＬＣＤ（９）に表示される画面を表わしており、該画面には、送信時点情報を入力する欄（“いつ”なる欄）が設けられると共に、送信識別情報を入力する欄（“どのカメラに”なる欄）が設けられている。
【００３７】
“いつ”なる欄には、“撮影開始”、“撮影終了”、“記録終了”及び“なし”なるアイコンの何れかのアイコンを選択する操作を行なうことによって、送信時点情報が入力される。例えば、デジタルカメラに撮影開始時点で撮影指令信号を送信させんとする場合には、“撮影開始”を選択する。又、撮影指令信号の送信動作を実行させない場合には、起算点情報として“なし”を選択する。
又、“どのカメラに”なる欄には、予め登録されている１或いは複数のデジタルカメラの識別情報の中から何れかの識別情報を選択する操作を行なうことによって、選択された識別情報が送信識別情報として入力される。
この様にして入力された送信時点情報及び送信識別情報は、ＲＡＭに格納される。
【００３８】
図７は、上記撮影時点情報を登録する際にＬＣＤ（９）に表示される画面を表わしており、該画面には、撮影指令信号を受信してから撮影動作を実行すべき時点までの経過時間及びその単位を入力する欄（“経過時間”なる欄及び“単位”なる欄）が設けられている。
“経過時間”なる欄には、図示省略する数字列から何れかの数字を選択する操作を行なうことによって、経過時間情報が入力される一方、“単位”なる欄には、“ｍｓ”及び“ｓ”なるアイコンの何れかのアイコンを選択する操作を行なうことによって、単位情報が入力される。例えば、デジタルカメラに撮影指令信号が受信されてから３０秒後に撮影動作を実行させんとする場合には、“３０”及び“ｓ”を選択する。
この様にして入力された撮影時点情報は、ＲＡＭに格納される。
【００３９】
図８は、カメラ本体の電源がオンに設定されている状態で、本実施例のＣＰＵによって実行されるメインタスク処理手続きを表わしている。
図示の如く、先ずステップＳ３１にて、操作パネル装置に対して何らかの操作が行なわれたか否かを判断し、イエスと判断された場合は、ステップＳ３２に移行して、操作パネル装置に対する前記操作が電源スイッチ（Ｐｏｗｅｒ−ＳＷ）に対するオフ（ＯＦＦ）操作であるか否かを判断し、イエスと判断された場合は、手続きを終了する。
ステップＳ３２にてノーと判断された場合は、操作パネル装置に対する前記操作がシャッター釦に対する操作であるか否かを判断し、イエスと判断された場合はステップＳ３４に移行して、図９に示す一連の撮影処理を実行した後、ステップＳ３１に戻る。一方、操作パネル装置に対する前記操作がシャッター釦に対する操作以外の操作である場合は、ステップＳ３５に移行して、該操作に応じた処理を実行した後、ステップＳ３１に戻る。
【００４０】
上記ステップＳ３１にてノーと判断された場合は、ステップＳ３６に移行して、何らかの信号が受信されたか否かを判断し、ノーと判断された場合はステップＳ３１に戻る一方、イエスと判断された場合は、ステップＳ３７に移行して、受信された信号を解読した後、ステップＳ３８に移行する。
【００４１】
ステップＳ３８では、受信された信号に自機の識別情報が含まれているか否かを判断し、ノーと判断された場合はステップＳ３１に戻る一方、イエスと判断された場合は、ステップＳ３９に移行して、受信された信号が撮影指令信号であるか否かを判断する。
受信された信号が撮影指令信号である場合は、ステップＳ４０に移行して、ＲＡＭに格納されている撮影時点情報が表わす時間だけ時間の経過を待った後、ステップＳ４１にて図９に示す一連の撮影処理を実行して、ステップＳ３１に戻る。一方、受信された信号が撮影指令信号以外の信号である場合は、ステップＳ４２に移行して、該信号に応じた処理を実行した後、ステップＳ３１に戻る。
【００４２】
一連の撮影処理においては、先ず図９のステップＳ４３にて、ＲＡＭに格納されている送信時点情報が撮影開始時点を表わしているか否かを判断し、ノーと判断された場合はステップＳ４５に移行して、ＣＣＤから得られる撮影データをＡ／Ｄ変換してＲＡＭに格納する撮影処理を実行する。一方、ステップＳ４３にてイエスと判断された場合はステップＳ４４に移行して、撮影指令信号の送信を送信タスクプログラムに要求した後、ステップＳ４５に移行して、上記撮影処理を実行する。ここで、送信タスクプログラムへの要求内容には、送信識別情報が含められる。
【００４３】
次にステップＳ４６では、ＲＡＭに格納されている送信時点情報が撮影終了時点を表わしているか否かを判断し、ノーと判断された場合はステップＳ４８に移行して、ＲＡＭに格納されている撮影データを圧縮して記録メディアに記録する記録処理を実行する。一方、ステップＳ４６にてイエスと判断された場合は、ステップＳ４７に移行して、撮影指令信号の送信を送信タスクプログラムに要求した後、ステップＳ４８に移行して、上記記録処理を実行する。
【００４４】
続いてステップＳ４９では、ＲＡＭに格納されている送信時点情報が記録終了時点を表わしているか否かを判断し、ノーと判断された場合は手続きを終了する一方、イエスと判断された場合は、ステップＳ５０に移行して、撮影指令信号の送信を送信タスクプログラムに要求した後、手続きを終了する。
【００４５】
図１０は、本実施例のＣＰＵによって実行される送信タスク処理手続きを表わしている。
図示の如く、先ずステップＳ５１では、上記メインプログラムからの送信要求の受領に待機し、メインプログラムからの送信要求が受領されると、ステップＳ５２に移行して、該送信要求が撮影指令信号の送信要求であるか否かを判断する。
メインプログラムからの送信要求が撮影指令信号の送信要求である場合は、ステップＳ５３に移行して、該要求内容に含まれている送信識別情報を含む撮影指令信号を無線で送信して、ステップＳ５１に戻る一方、メインプログラムからの送信要求が撮影指令信号の送信要求でない場合には、ステップＳ５４に移行して、送信要求に応じた送信処理を実行して、ステップＳ５１に戻る。
【００４６】
上記デジタルカメラにおいては、シャッター釦が押下されたとき、その時点で撮影動作が実行されると共に、送信時点情報及び送信識別情報が登録されている場合には、撮影開始時点、撮影終了時点、或いは記録終了時点の内、送信時点情報が表わす何れかの時点で、送信識別情報を含む撮影指令信号が送信される。
又、他のデジタルカメラから自機宛の撮影指令信号を受信したときには、その後、登録されている撮影時点情報が表わす時間だけ時間が経過した時点で撮影動作が実行されると共に、送信時点情報及び送信識別情報が登録されている場合には、撮影開始時点、撮影終了時点、或いは記録終了時点の内、送信時点情報が表わす何れかの時点で、送信識別情報を含む撮影指令信号が送信される。
【００４７】
本実施例のデジタルカメラは、第１実施例と同様に、図１５〜図１８に示す如く、複数台のカメラを用いて種々の撮影を行なうことが可能である。
図１５に示す如く移動体を撮影する際、図１６に示す如く花火を撮影する際、或いは図１７に示す如く流星を撮影する際には、カメラＡ〜Ｃに夫々、図６に示す画面を表示させて、送信時点情報及び送信識別情報を登録する一方、カメラＢ〜Ｄに夫々、図７に示す画面を表示させて、撮影時点情報を登録する。その後、所望のタイミングでカメラＡのシャッター釦を押下することによって、デジタルカメラＡ〜Ｄに撮影動作を順次、実行させることが出来る。
又、図１８に示す如く連続撮影を行なう際には、カメラＡ、Ｂに夫々、図６に示す画面を表示させて、送信時点情報及び送信識別情報を登録すると共に、図７に示す画面を表示させて、撮影時点情報を登録する。その後、所望のタイミングでカメラＡのシャッター釦を押下することによって、デジタルカメラＡ、Ｂに撮影動作を繰り返し実行させることが出来る。
【００４８】
第３実施例
第２実施例のデジタルカメラは、他のデジタルカメラから撮影指令信号を受信したとき、その後、登録されている撮影時点情報が表わす時間だけ時間が経過した時点で撮影動作を実行するものであるのに対し、本実施例のデジタルカメラは、受信した撮影指令信号に含まれる撮影時点情報が表わす時間だけ時間が経過した時点で撮影動作を実行するものである。
【００４９】
本実施例のデジタルカメラは、撮影指令信号を送信すべき時点を表わす送信時点情報、他のデジタルカメラによって撮影指令信号が受信されたときに該カメラに撮影動作を実行させるべき時点を表わす撮影時点情報、及び撮影指令信号を送信すべき他のカメラの識別情報を表わす送信識別情報を設定することが可能である。
図１１は、上記送信時点情報、撮影時点情報及び送信識別情報を設定する際にＬＣＤ（９）に表示される画面を表わしており、該画面には、送信時点情報を入力する欄（“いつ”なる欄）、撮影時点情報として、撮影指令信号が受信されてから撮影動作を実行させるべき時点までの経過時間及びその単位を入力する欄（“経過時間”なる欄及び“単位”なる欄）、送信識別情報を入力する欄（“どのカメラに”なる欄）が設けられている。
【００５０】
“いつ”なる欄には、“撮影開始”、“撮影終了”、“記録終了”及び“なし”なるアイコンの何れかのアイコンを選択する操作を行なうことによって、送信時点情報が入力される。例えば、デジタルカメラに撮影開始時点で撮影指令信号を送信させんとする場合には、“撮影開始”を選択する。又、撮影指令信号の送信動作を実行させない場合には、起算点情報として“なし”を選択する。
“経過時間”なる欄には、図示省略する数字列から何れかの数字を選択する操作を行なうことによって、経過時間情報が入力される。又、“単位”なる欄には、“ｍｓ”及び“ｓ”なるアイコンの何れかのアイコンを選択する操作を行なうことによって、単位情報が入力される。例えば、デジタルカメラに撮影指令信号が受信されてから３０秒後に撮影動作を実行させんとする場合には、“３０”及び“ｓ”を選択する。
又、“どのカメラに”なる欄には、予め登録されている１或いは複数のデジタルカメラの識別情報の中から何れかの識別情報を選択する操作を行なうことによって、選択された識別情報が送信識別情報として入力される。
この様にして入力された送信時点情報、撮影時点情報及び送信識別情報は、ＲＡＭに格納される。
【００５１】
図１２は、カメラ本体の電源がオンに設定されている状態で、本実施例のＣＰＵによって実行されるメインタスク処理手続きを表わしている。
図示の如く、先ずステップＳ６１にて、操作パネル装置に対して何らかの操作が行なわれたか否かを判断し、イエスと判断された場合は、ステップＳ６２に移行して、操作パネル装置に対する前記操作が電源スイッチ（Ｐｏｗｅｒ−ＳＷ）に対するオフ（ＯＦＦ）操作であるか否かを判断し、イエスと判断された場合は、手続きを終了する。
ステップＳ６２にてノーと判断された場合は、操作パネル装置に対する前記操作がシャッター釦に対する操作であるか否かを判断し、イエスと判断された場合はステップＳ６４に移行して、図１３に示す一連の撮影処理を実行した後、ステップＳ６１に戻る。一方、操作パネル装置に対する前記操作がシャッター釦に対する操作以外の操作である場合は、ステップＳ６５に移行して、該操作に応じた処理を実行した後、ステップＳ６１に戻る。
【００５２】
上記ステップＳ６１にてノーと判断された場合は、ステップＳ６６に移行して、何らかの信号が受信されたか否かを判断し、ノーと判断された場合はステップＳ６１に戻る一方、イエスと判断された場合は、ステップＳ６７に移行して、受信された信号を解読した後、ステップＳ６８に移行する。
【００５３】
ステップＳ６８では、受信された信号に自機の識別情報が含まれているか否かを判断し、ノーと判断された場合はステップＳ６１に戻る一方、イエスと判断された場合は、ステップＳ６９に移行して、受信された信号が撮影指令信号であるか否かを判断する。
受信された信号が撮影指令信号である場合は、ステップＳ７０に移行して、受信された撮影指令信号に含まれる撮影時点情報が表わす時間だけ時間の経過を待った後、ステップＳ７１にて図１３に示す一連の撮影処理を実行して、ステップＳ６１に戻る。一方、受信された信号が撮影指令信号以外の信号である場合は、ステップＳ７２に移行して、該信号に応じた処理を実行した後、ステップＳ６１に戻る。
【００５４】
一連の撮影処理においては、先ず図１３のステップＳ７３にて、ＲＡＭに格納されている送信時点情報が撮影開始時点を表わしているか否かを判断し、ノーと判断された場合はステップＳ７５に移行して、ＣＣＤから得られる撮影データをＡ／Ｄ変換してＲＡＭに格納する撮影処理を実行する。一方、ステップＳ７３にてイエスと判断された場合はステップＳ７４に移行して、撮影指令信号の送信を送信タスクプログラムに要求した後、ステップＳ７５に移行して、上記撮影処理を実行する。ここで、送信タスクプログラムへの要求内容には、ＲＡＭに格納されている送信識別情報及び撮影時点情報が含められる。
【００５５】
次にステップＳ７６では、ＲＡＭに格納されている送信時点情報が撮影終了時点を表わしているか否かを判断し、ノーと判断された場合はステップＳ７８に移行して、ＲＡＭに格納されている撮影データを圧縮して記録メディアに記録する記録処理を実行する。一方、ステップＳ７６にてイエスと判断された場合は、ステップＳ７７に移行して、撮影指令信号の送信を送信タスクプログラムに要求した後、ステップＳ７８に移行して、上記記録処理を実行する。
【００５６】
続いてステップＳ７９では、ＲＡＭに格納されている送信時点情報が記録終了時点を表わしているか否かを判断し、ノーと判断された場合は手続きを終了する一方、イエスと判断された場合は、ステップＳ８０に移行して、撮影指令信号の送信を送信タスクプログラムに要求した後、手続きを終了する。
【００５７】
図１４は、本実施例のＣＰＵによって実行される送信タスク処理手続きを表わしている。
図示の如く、先ずステップＳ８１では、上記メインプログラムからの送信要求の受領に待機し、メインプログラムからの送信要求が受領されると、ステップＳ８２に移行して、該送信要求が撮影指令信号の送信要求であるか否かを判断する。
メインプログラムからの送信要求が撮影指令信号の送信要求である場合は、ステップＳ８３に移行して、該要求内容に含まれている送信識別情報及び撮影時点情報を含む撮影指令信号を無線で送信して、ステップＳ８１に戻る一方、メインタスクプログラムからの送信要求が撮影指令信号の送信要求でない場合には、ステップＳ８４に移行して、該送信要求に応じた送信処理を実行して、ステップＳ８１に戻る。
【００５８】
上記デジタルカメラにおいては、シャッター釦が押下されたとき、その時点で撮影動作が実行されると共に、送信時点情報、送信識別情報及び撮影時点情報が登録されている場合には、撮影開始時点、撮影終了時点、或いは記録終了時点の内、送信時点情報が表わす何れかの時点で、送信識別情報及び撮影時点情報を含む撮影指令信号が送信される。
又、他のデジタルカメラから自機宛の撮影指令信号を受信したときには、その後、該撮影指令信号に含まれている撮影時点情報が表わす時間だけ時間が経過した時点で撮影動作が実行されると共に、送信時点情報、送信識別情報及び撮影時点情報が登録されている場合には、撮影開始時点、撮影終了時点或いは記録終了時点の内、送信時点情報が表わす何れかの時点で、送信識別情報及び撮影時点情報を含む撮影指令信号が送信される。
【００５９】
本実施例のデジタルカメラは、第１実施例と同様に、図１５〜図１８に示す如く、複数台のカメラを用いて種々の撮影を行なうことが可能である。
図１５に示す如く移動体を撮影する際、図１６に示す如く花火を撮影する際、或いは図１７に示す如く流星を撮影する際には、カメラＡ〜Ｃに夫々、図１１に示す画面を表示させて、送信時点情報、撮影時点情報及び送信識別情報を登録する。その後、所望のタイミングでカメラＡのシャッター釦を押下することによって、デジタルカメラＡ〜Ｄに撮影動作を順次、実行させることが出来る。
又、図１８に示す如く連続撮影を行なう際には、カメラＡ、Ｂに夫々、送信時点情報、撮影時点情報及び送信識別情報を登録する。その後、所望のタイミングでカメラＡのシャッター釦を押下することによって、デジタルカメラＡ、Ｂに撮影動作を繰り返し実行させることが出来る。
【００６０】
尚、本発明の各部構成は上記実施の形態に限らず、特許請求の範囲に記載の技術的範囲内で種々の変形が可能である。
例えば、図１に示す無線通信制御回路（１２）として、無線ＬＡＮインターフェースとしての機能を有する回路を採用することも可能である。
又、ＣＣＤ（２）に代えて、イメージセンサを採用することも可能である。
【図面の簡単な説明】
【図１】本発明を実施したデジタルカメラの構成を表わすブロック図である。
【図２】第１実施例のデジタルカメラにおいて送信時点情報及び送信識別情報を設定する際にＬＣＤに表示される画面を表わす図である。
【図３】上記デジタルカメラにおいて実行されるメインタスク処理手続きを表わすフローチャートである。
【図４】一連の撮影処理の具体的手続きを表わすフローチャートである。
【図５】上記デジタルカメラにおいて実行される送信タスク処理手続きを表わすフローチャートである。
【図６】第２実施例のデジタルカメラにおいて送信時点情報及び送信識別情報を設定する際にＬＣＤに表示される画面を表わす図である。
【図７】上記デジタルカメラにおいて撮影時点情報を設定する際にＬＣＤに表示される画面を表わす図である。
【図８】上記デジタルカメラにおいて実行されるメインタスク処理手続きを表わすフローチャートである。
【図９】一連の撮影処理の具体的手続きを表わすフローチャートである。
【図１０】上記デジタルカメラにおいて実行される送信タスク処理手続きを表わすフローチャートである。
【図１１】第３実施例のデジタルカメラにおいて送信時点情報、撮影時点情報及び送信識別情報を設定する際にＬＣＤに表示される画面を表わす図である。
【図１２】上記デジタルカメラにおいて実行されるメインタスク処理手続きを表わすフローチャートである。
【図１３】一連の撮影処理の具体的手続きを表わすフローチャートである。
【図１４】上記デジタルカメラにおいて実行される送信タスク処理手続きを表わすフローチャートである。
【図１５】４台のデジタルカメラを用いて移動体を撮影する際に構築される撮影システムの構成を表わす図である。
【図１６】４台のデジタルカメラを用いて花火を撮影する際の各カメラの撮影動作のタイミングを表わすタイミングチャートである。
【図１７】４台のデジタルカメラを用いて流星を撮影する際の各カメラの撮影動作のタイミングを表わすタイミングチャートである。
【図１８】２台のデジタルカメラを用いて連続撮影を行なう際の各カメラの撮影動作のタイミングを表わすタイミングチャートである。
【図１９】従来のデジタルカメラを複数台用いて構築した撮影システムの構成を表わすブロック図である。
【図２０】複数回の連続撮影時において実行される撮影動作及び記録動作のタイミングを表わすタイミングチャートである。
【符号の説明】
（１）　デジタルカメラ
（２）　ＣＣＤ
（３）　信号処理回路
（４）　ＣＰＵ
（７）　記録メディアドライブ装置
（８）　ビデオエンコーダ
（９）　ＬＣＤ
（１２）　無線通信制御回路
（１３）　アンテナ
【図１】
2004012974.tif 000003
【図２】
2004012974.tif 000004
【図３】
2004012974.tif 000005
【図４】
2004012974.tif 000006
【図５】
2004012974.tif 000007
【図６】
2004012974.tif 000008
【図７】
2004012974.tif 000009
【図８】
2004012974.tif 000010
【図９】
2004012974.tif 000011
【図１０】
2004012974.tif 000012
【図１１】
2004012974.tif 000013
【図１２】
2004012974.tif 000014
【図１３】
2004012974.tif 000015
【図１４】
2004012974.tif 000016
【図１５】
2004012974.tif 000017
【図１６】
2004012974.tif 000018
【図１７】
2004012974.tif 000019
【図１８】
2004012974.tif 000020
【図１９】
2004012974.tif 000021
【図２０】
2004012974.tif 000022